(57)【特許請求の範囲】
【請求項１】
床面に設置される台座と、上記台座に対して水平回転自在に配置された回転体と、を有し、
上記回転体の上部に身をおいた人の手又は足の操作により、上記台座又は床面に固定される固定体に加える押し、引き、回し等の力の作用に対するこの固定体からの反作用により、又は上記人による引っ張り力により長い媒体を介し上記固定体を経由して上記回転体に設けた固定部に加えられる作用により、上記人とともに上記回転体を回転させる自立運動用の回転器具であって、
上記回転体を平坦な形状として周囲に枠体を設け、この回転体内の人が仰向けに寝転び、或いは座った状態で、手又は足によりこの回転体の中心の上方に位置する上記固定体を操作し、又は上記回転体の上方から垂れ下げた上記長い媒体を操作して、上記回転体を回し、利用後は上記回転体をベッドとして使用できるようにしたことを特徴とする自立運動用の回転器具。
【請求項２】
上記回転体を円形としたことを特徴とする請求項１に記載の自立運動用の回転器具。
【請求項３】
上記台座に上記固定体の下部を固定したことを特徴とする請求項１又は２に記載の自立運動用の回転器具。
【請求項４】
上記固定体を上記台座から上記回転体の上方に向かうアーム状に形成し、この回転体の上方において上記固定体にハンドル体を取り付け、上記人による上記ハンドル体を回す方向に加えた力の反作用により、上記人とともに上記回転体を回転させることを特徴とする請求項３に記載の自立運動用の回転器具。
【請求項５】
上記アーム状の固定体を、上記回転体の上方から外れる位置に倒れるように折り曲げ可能に形成したことを特徴とする請求項４に記載の自立運動用の回転器具。
【請求項６】
床面に設置される台座と、上記台座に対して水平回転自在に配置された回転体と、を有し、 
上記回転体の上部に身をおいた人の手又は足の操作により、上記台座又は床面に固定される固定体に加える押し、引き、回し等の力の作用に対するこの固定体からの反作用により、上記人とともに上記回転体を回転させる自立運動用の回転器具であって、
上記台座に上記固定体の下部を固定し、
上記固定体を上記台座から上記回転体の上方に向かうアーム状に形成し、この回転体の上方において上記固定体にハンドル体を取り付け、
上記ハンドル体を、棒状の操作杆が複数方向に放射状に配置された形状とし、上記人による上記ハンドル体を回す方向に加えた力の反作用により、上記人とともに上記回転体を回転させることを特徴とする自立運動用の回転器具。
【請求項７】
上記アーム状の固定体を、上記回転体の上方から外れる位置に倒れるように折り曲げ可能に形成したことを特徴とする請求項６に記載の自立運動用の回転器具。
【請求項８】
上記操作杆を、上記固定体に沿う状態で同一方向に折り畳み可能に形成したことを特徴とする請求項６又は７に記載の自立運動用の回転器具。
【請求項９】
床面に設置される台座と、上記台座に対して水平回転自在に配置された回転体と、を有し、 
上記回転体の上部に身をおいた人の手又は足の操作により、上記台座又は床面に固定される固定体に加える押し、引き、回し等の力の作用に対するこの固定体からの反作用により、上記人とともに上記回転体を回転させる自立運動用の回転器具であって、
上記固定体を、上記台座から上方に向かわせ且つ上記回転体の周囲の外側に手摺状に配置し、上記人がこの手摺状の部位を上記回転体の周方向に押し又は引き操作することにより、上記人とともに上記回転体を回転させることを特徴とする自立運動用の回転器具。
【請求項１０】
床面に設置される台座と、上記台座に対して水平回転自在に配置された回転体と、を有し、
上記回転体の上部に身をおいた人の手又は足の操作により、上記人による引っ張り力により長い媒体を介し、上記台座又は床面に固定される固定体を経由して上記回転体に設けた固定部に加えられる作用により、上記人とともに上記回転体を回転させる自立運動用の回転器具であって、
上記固定体を上記台座から上記回転体の上方に向かうアーム状に形成し、
上記固定体が中間に位置する上記回転体又はこの回転体の周囲に設けた枠体の二箇所に、それぞれ一の固定部及び他の固定部を設け、
上記一の固定部に端部が固定され、ここから上記固定体に設けた通過部を経由し上記回転体の上方の位置から下方に垂れ下げた上記媒体及び、上記他の固定部に端部が固定され、ここから上記固定体に設けた通過部を経由し上記回転体の上方の位置から下方に垂れ下げた他の上記媒体をそれぞれ設け、
上記人が上記媒体を交互に引っ張り操作することにより、上記人とともに上記回転体を回転させることを特徴とする自立運動用の回転器具。
【請求項１１】
床面に設置される台座と、上記台座に対して水平回転自在に配置された回転体と、を有し、
上記回転体の上部に身をおいた人の手又は足の操作により、上記台座又は床面に固定される固定体に加える押し、引き、回し等の力の作用に対するこの固定体からの反作用により、又は上記人による引っ張り力により長い媒体を介し上記固定体を経由して上記回転体に設けた固定部に加えられる作用により、上記人とともに上記回転体を回転させる自立運動用の回転器具であって、
上記回転体の上部に、周囲に複数の取っ手を取り付けたシーツを配置したことを特徴とする自立運動用の回転器具。
【請求項１２】
上記台座に上記固定体の下部を固定したことを特徴とする請求項９乃至１１の何れかに記載の自立運動用の回転器具。
【請求項１３】
上記回転体を円形とし、この回転体の周囲に枠体を設けたことを特徴とする請求項６乃至１２の何れかに記載の自立運動用の回転器具。
【発明の詳細な説明】
【技術分野】
【０００１】
本発明は、自立的筋力活動が可能な自立運動用の回転器具に関する。
【背景技術】
【０００２】
従来、人が休む器具として、ベッド、椅子などは睡眠或いは休息の為に用いられており、また医療用のベッドとして患者の療養にも用いられている。
例えば、特許文献１に記載の運動手段を備える医療用ベッドは、図９に示すように、患者のリハビリと、健康を維持、増進させるものであり、前後及び左右の手すり８０とフレーム８２及びその上のマット８４と、固定用フレーム８６と、駆動手段による１ヶ所のヒンジ部位を用いて、起立したり、横になったりすることができる上体の運動用フレーム８８と、駆動手段によるヒンジ部位と、中間の関節部位を用いて、折り畳んだり、広げたりすることができる下体の運動用フレーム９０とを有し、膝の運動装置及び腕の運動装置を有するものである。
【０００３】
また特許文献２には、垂直支柱、L型を形成する横支柱、ベッドのサイドフレームに固定され垂直支柱を支持する固定金具を有する、介助用リフトの装備されたベッドが開示されている。
【０００４】
特許文献３には、患者の状態に応じて、臥せった状態での患者を簡便に体位変換できるベッドにおける体位変換装置が開示されている。
また、特許文献４には、ベッド本体に対して背もたれ部が回動可能に連結され、この背もたれ部に起上がり方向への回動力を付与する伸縮機構部などを有する介護用ベッドが記載されている。
【先行技術文献】
【特許文献】
【０００５】
【特許文献１】特表２００８−５１０５６２号公報
【特許文献２】特開平５−９５９７９号公報
【特許文献３】特開２００１−１２９０２９号公報
【特許文献４】特開２００３−５２７６２号公報
【発明の概要】
【発明が解決しようとする課題】
【０００６】
さて、幼児或いは小学生（特に低学年）等の年少の子供で、障害などでベッド上の生活を余儀なく行っている者、或いは患者等にとって、ある程度体を動かすことは人が体力を維持する上では必要である。
ここで、上記特許文献１の医療用ベッドは、動力手段を用いて患者の上体と下体、及び膝、腕などを動かす運動手段を備えるものであり、このような動力手段を用いた運動は、幼児或いは子供等を対象とするのは危険が伴い、また取扱が容易ではないなどの問題がある。また、引用文献２のベッドについても、介助用リフトは介護には都合が良いが患者自身の運動にはあまり寄与しない。
【０００７】
引用文献３のベッドは患者の体位を変換する変換装置を備えたものであり、これは患者の寝返りなどをサポートするものであり、引用文献４のベッドについても、動力により患者の上体などを動かすものであり、これは患者自らの力による運動を目指したものではなく、何れについても患者自身がベッド上で体を動かすことに関しては配慮がなく、介護の面から支援を行うものに留まるものであり、患者自身がベッド上で体を動かすのは不便であるという問題があった。
【０００８】
本発明は上記問題点を解決するためになされたものであり、人が自らの意思で自らの手足を動かすことにより運動機能を回復することができる自立的筋力運動が可能な回転器具を提供することを目的とする。
【課題を解決するための手段】
【０００９】
以上の技術的課題を解決するため、本発明に係る自立運動用の回転器具は、図１，２などに示すように、床面に設置される台座４と、上記台座４に対して水平回転自在に配置された回転体８と、を有し、上記回転体８の上部に身をおいた人の手足の操作により、上記台座４又は床面に固定される固定体１２，１３，３８，５６に加える押し、引き、回し等の力の作用に対するこの固定体からの反作用により、又は上記人による引っ張り力により長い媒体６４を介し上記固定体１２を経由して上記回転体８に設けた固定部６６に加えられる作用により、上記人とともに上記回転体８を回転させる、構成である。
【００１０】
本発明に係る自立運動用の回転器具は、上記回転体８を円形とし、この回転体８の周囲に枠体１０を設けた構成である。
【００１１】
本発明に係る自立運動用の回転器具は、上記台座４に上記固定体１２，１３，３８，５６の下部を固定した構成である。
【００１２】
本発明に係る自立運動用の回転器具は、上記固定体１２，１３，３８を上記台座４から上記回転体８の上方に向かうアーム状に形成し、この回転体８の上方において上記固定体にハンドル体２８，４６を取り付け、上記人による上記ハンドル体を回す方向に加えた力の反作用により、上記人とともに上記回転体８を回転させる構成である。
【００１３】
本発明に係る自立運動用の回転器具は、上記アーム状の固定体３８を、上記回転体８の上方から外れる位置に倒れるように折り曲げ可能に形成した構成である。
【００１４】
本発明に係る自立運動用の回転器具は、上記ハンドル体２８，４６を、棒状の操作杆３４，５０が複数方向に放射状に配置された形状とした構成である。
【００１５】
本発明に係る自立運動用の回転器具は、上記操作杆５０を、上記固定体３８に沿う状態で同一方向に折り畳み可能に形成した構成である。
【００１６】
本発明に係る自立運動用の回転器具は、上記固定体５６を、上記台座４から上方に向かわせ且つ上記回転体８の周囲の外側に手摺状に配置し、上記人がこの手摺状の部位を上記回転体８の周方向に押し又は引き操作することにより、上記人とともに上記回転体８を回転させる構成である。
【００１７】
本発明に係る自立運動用の回転器具は、上記固定体１２を上記台座４から上記回転体８の上方に向かうアーム状に形成し、上記固定体１２が中間に位置する上記回転体８又は枠体１０の二箇所に、それぞれ一の固定部６６及び他の固定部６６を設け、上記一の固定部６６に端部が固定され、ここから上記固定体１２に設けた通過部６８を経由し上記回転体８の上方の位置から下方に垂れ下げた上記媒体６４及び、上記他の固定部６６に端部が固定され、ここから上記固定体１２に設けた通過部６８を経由し上記回転体８の上方の位置から下方に垂れ下げた他の上記媒体６４をそれぞれ設け、上記人が上記媒体６４，６４を交互に引っ張り操作することにより、上記人とともに上記回転体８を回転させる構成である。
【００１８】
本発明に係る自立運動用の回転器具は、上記回転体８の上部に、周囲に複数の取っ手７２を取り付けたシーツ７０を配置した構成である。
【発明の効果】
【００１９】
本発明に係る自立運動用の回転器具によれば、台座と回転体とを有し、回転体の上部に身をおいた人の手足の操作により、台座に固定される固定体に加える力の作用に対する反作用により、又は人による引っ張り力により媒体を介して回転体に設けた固定部に加えられる作用により、人とともに回転体を回転させる構成を採用したから、手足の押す、引く、回す、握る、掴むなどの自立的筋力活動により、回転体の回転運動を、自力にて生じさせ、自己の位置、制御を認識し回転体の位置を自己制御する等その自在性を楽しむと同時に、手足の筋力維持、強化、或いは回転器具構造を利用した保育、治療、環境改善を行うことを目的とする運動システムが得られる、という効果を奏する。
【００２０】
本発明に係る自立運動用の回転器具によれば、回転体を円形とし、この回転体の周囲に枠体を設けた構成としたから、回転体の回転が円滑におこなわれ、また回転体をベッドとして利用するなど有効に利用できるという効果がある。
【００２１】
本発明に係る自立運動用の回転器具によれば、台座に固定体の下部を固定した構成としたから、台座に固定体が一体化できて全体が機能的に構成されるという効果がある。
【００２２】
本発明に係る自立運動用の回転器具によれば、固定体にハンドル体を取り付け、人によるハンドル体を回す方向に加えた力の反作用により、人とともに回転体を回転させる構成としたから、ハンドル操作により回転体の位置を自己制御できる等その自在性を楽しむと同時に、手足の筋力維持、強化などの筋力運動が行えるという効果がある。
【００２３】
本発明に係る自立運動用の回転器具によれば、アーム状の固定体を、回転体の上方から外れる位置に倒れるように折り曲げ可能に形成したから、回転運動後は、回転体をベッド等として利用する場合に固定体が邪魔にならず、また支障なく介護が行えるという効果がある。
【００２４】
本発明に係る自立運動用の回転器具によれば、ハンドル体を、棒状の操作杆が複数方向に放射状に配置された形状としたから、手足でのハンドルを回す操作が効果的に行なえ、回転体を自在に回すことができるという効果がある。
【００２５】
本発明に係る自立運動用の回転器具によれば、操作杆を、固定体に沿う状態で同一方向に折り畳み可能に形成したから、回転運動後は操作杆が邪魔にならずに済み機能的であるという効果がある。
【００２６】
本発明に係る自立運動用の回転器具によれば、固定体を手摺状に配置し、人がこの手摺状の部位を操作することにより、人とともに回転体を回転させる構成としたから、固定体を押し、引くことで自身が希望する位置まで回転体を回すことができ、回転体に身をおいた人が回転体周辺に設置される各種機能体などの近くに人力制御によって位置を移ることができ、良好な活動環境が得られるという効果がある。
【００２７】
本発明に係る自立運動用の回転器具によれば、回転体又は枠体の二箇所にそれぞれ固定部を設け、固定部に端部を固定し固定体に設けた通過部を経由し垂れ下げた媒体を操作することにより、人とともに回転体を回転させる構成としたから、回転体の上方の媒体を人が手で掴み、引っ張るなど自立的に遊べ、かつ回転運動を行うことで、楽しみながら軽微な筋力増強が行えるという効果がある。
【００２８】
本発明に係る自立運動用の回転器具によれば、回転体の上部に、周囲に複数の取っ手を取り付けたシーツを配置した構成としたから、介護人などがシーツの上で寝ている人（患者等）に寝返りをさせたい場合、この人の側部に位置する取っ手を握って引き寄せ、持ち上げることで、何れの方向に人が向いていても好適な位置から寝返り等のサポートが行える。また介護人は、シーツを手前に引き寄せることにより、人の体を傾斜させ、好適な位置に回転させ、またシーツの好適な位置の取っ手を持つことで、ベストの位置及び状態で人の寝返り或いは着替えの処置が行え、さらに介護にとって好適な位置に回転体を回すことができるなど介護者等にとっても有効に利用できるという効果がある。
【図面の簡単な説明】
【００２９】
【図１】本発明の第一の実施の形態に係る自立運動用の回転器具の斜視図である。
【図２】第一の実施の形態に係る自立運動用の回転器具を示す図であり、（ａ）は回転体及び台座を、（ｂ）は回転器具の斜視図である。
【図３】第一の実施の形態に係り、片持ち形態のアーム体を設けた回転器具の斜視図である。
【図４】第一の実施の形態に係り、他の形態のアーム体を設けた回転器具の斜視図である。
【図５】第一の実施の形態に係り、（ａ）は折り畳み式のハンドル体を設けた回転器具の斜視図、（ｂ）は折り畳んだ状態のハンドル体を示す部分図である。
【図６】第二の実施の形態に係る自立運動用の回転器具の斜視図である。
【図７】第三の実施の形態に係る自立運動用の回転器具の斜視図である。
【図８】実施の形態に係る回転器具の回転体に設けたシーツを示す図である。
【図９】従来例に係る運動手段を備える医療用ベッドを示す図である。
【発明を実施するための形態】
【００３０】
以下、本発明に係る実施の形態を図面に基づいて説明する。
図１及び図２（ａ）（ｂ）は、第一の実施の形態に係る自立運動用の回転器具を示したものである。この回転器具２は、台座４、脚体６、回転体８、枠体１０、及び固定体としてのアーム体１２などを有する。
【００３１】
上記台座４は図２（ａ）に示すように、円板状の形状であり、中央部には円筒状の軸受部１４が下方に突出した状態に配置されている。また台座４の下部には、均一間隔を隔てた４箇所にそれぞれ脚体６が取り付けられている。この台座４は木質の合成材からなり、中央の軸受部１４は鋼製からなる。脚体６は、木製或いは金属製の材料が用いられている。
【００３２】
上記軸受部１４の上部には、環状に拡径された受け部１６が形成され、軸受部１４の筒部は台座４の中央部に設けられた孔部に嵌め込まれて固定されている。また、台座４の中心対称な左右部位には有底角筒状の保持体１８，１８がそれぞれ固定されている。
【００３３】
上記回転体８は、上記台座４と同程度の大きさの円板形状であり、中央部の裏面部には円筒状の軸体２０が下方に突出した状態で固定されている。この回転体８は木質の合成材からなり、中央の軸部２０は鋼製からなる。軸部２０の上部には、環状に拡径した摺動部２１が形成されている。
【００３４】
また上記回転体８には、周囲を壁状に囲む状態で枠体１０が形成されている。この枠体１０は円筒状で、下部の周囲部は止着具等により回転体８の周囲に固定されている。枠体１０の上縁部は、丸みを帯びた形状に形成されている。
上記枠体１０の形態としては、単なる筒形状以外に、筒面の複数個所をくり貫き模様を形成したもの、筒面の上下にスリットを設けた形態、或いは棒体を所定間隔並べて筒状に形成した形態などを採用することができ、これにより美感も高められ風通しも良くなる。枠体１０には、木材或いは合成樹脂材が用いられる。
【００３５】
また、枠体１０の一部に扉（蝶番を用いた扉等）を形成し、人の回転体８内への出入りの際にはこの扉を開いて出入りが容易に行えるようにしても良い。枠体１０は、回転体８上の人が座った状態で手がかけられる程度、或いは乗り越えて落ちない程度の高さとする。
回転体８の上部及び枠体１０の上部などに、クッション材などを取り付けることで衝撃が防止できる。この回転体８のサイズは、例えば内径１ｍの円形で、枠体１０の高さが３０ｃｍとし、ニーズに応じてこれよりも大きく或いは小さく設定することができる。
また回転体８の上部に、布団、シーツ等の寝具を敷けば十分ベッドとして使用でき、回転ベッドとして機能する。
【００３６】
上記アーム体１２は、横向きの架設部２４とこの両端から下方に垂下する支持部２６からなる。このアーム体１２は、両支持部２６をそれぞれ上記台座４の保持体１８，１８に嵌入して固定する。また、保持体１８，１８にボルト等の止着具１９を用いてアーム体１２の抜け等を防止する。アーム体１２は、木製或いは合成樹脂製からなる。
【００３７】
さて、上記回転器具２は図２（ｂ）に示すように、上記台座４を床面等の上に配置し、この台座４の軸受部１４に上から回転体８の軸部２０を挿入すると、台座４に対して回転自在の回転体８が構成される。そして、回転体８内に身を置いた人が、仰向けに寝転び或いは座った状態で手又は足でアーム体１２を操作し、このアーム体１２を押し或いは引くことでその反作用として回転体８に回転力が加わり、回転体８が力の方向により右又は左回りに回る。
【００３８】
この回転器具２の回転機構では、台座４の軸受部１４（受け部１６）と回転体８の軸部２０（摺動部２１）との間の摩擦により回転体８の回転に所定の制動力が働く。この制動力（摩擦力）に抗して、人がアーム体１２を操作し回転体８を回すことにより手、腕などの運動により筋力が補強される。
また、上記制動力を増減させたい場合には、軸受部１４に車両等のブレーキに用いられる制動機構を取り付け、軸部２０を押圧して回転を制動するようにしても良い。このとき、ブレーキレバーを設けて、複数段階に制動力を加減可能にすれば、利用する人の体力に合った制動力を確保することができ広い用途に活用できる。
【００３９】
回転器具２の回転機構としては、上記軸受部１４と軸部２０からなる形態以外にも、例えば台座４に環状のレールを配置し、この上部に載置する回転体８の該当環状位置に所定の間隔をおいてコロ等を配置した形態など、種々の回転機構を採用することができる。
このように、台座４と回転体８との間に上記環状の回転機構を設けた形態では、回転体８の耐荷重性が高くなり、重量のある人が回転体８に身をおいた場合でも回転が安定し、また回転体８上の多少偏った位置に人が身を置いた場合であっても、安定した回転が行なえる。なお、この場合にも、台座４に制動機構を取り付け回転体８の回転を制動してもよい。
【００４０】
図１に記載の回転器具２は、上記アーム体１２にハンドル体２８を取り付けたものである。このハンドル体２８は、固定軸部３０及びこの固定軸部３０の下部に放射状（ここでは十字状）に取り付けられた複数の棒状の操作杆３４からなる。また、各操作杆３４の端部には球状の把持部３６が設けられている。ハンドル体２８は、固定軸部３０の上部が回転体８の中心部の上方に位置するアーム体１２の中央部に固定されている。
【００４１】
上記ハンドル体２８により、回転体８の上部に身をおいた人は仰向けの状態或いは座った状態で、上方の操作杆３４を手又は足で自在に操作することができる。そして、固定軸部３０を中心にハンドル体２８を回すように操作すれば、その反作用として回転体８に回す力が作用し回転体８を回すことができる。このハンドル体２８は、また車のハンドルを回す感覚で回転体８を回転させることができるため、遊び感覚で腕などの運動が行なえる。ハンドル体２８の操作は、手でハンドル体２８を回転操作する以外に、人が仰向けの状態で足で回転操作しても良く、何れについても筋力活動が行なえる。
【００４２】
この回転器具２を自立運動に利用した後は、回転体８をベッドとして使用することができる。この場合には、アーム体１２は保持体１８，１８から抜く（止着具１９を緩めて）ことで脱着でき、再度利用するときにはアーム体１２を保持体１８，１８に装着する。これにより、アーム体１２が回転体８上の人などの邪魔にならずに済む。
また、回転体８をベッドとして利用する場合には、上記ブレーキレバーによる制動を回転停止の位置に設定し回転体８の不用意な回転を防止する。
【００４３】
上記ハンドル体２８は、ここでは操作杆３４を放射状に配置した形態であるが、これは自動車のハンドルのように、放射状の杆の周囲に環状の操作環部を設けた形態であってもよい。またここでの操作杆３４は、十字状（四方向）に放射した形態であるが、これは二方向、三方向等複数の方向に向けた形態としてもよい。
【００４４】
図３に記載の回転器具２は、アーム体１３を片持ち形態としたものであり、アーム体１３の端部が略回転体８の中心の上方に位置する。そして、このアーム体１３の端部に上記ハンドル体２８の固定軸部３０の上部を固定し、ハンドル体２８を取り付けている。
この回転器具２についても、使用方法は上記と同様であり、ハンドル体２８の操作杆３４を操作して回転体８を回す。この回転器具２は、回転体８の上方の片半部分はアーム体１３に邪魔されないため、回転体８内の人は、立つなど比較的自由な行動が行え、また内部のシーツなどの取り替え等も容易に行える。
【００４５】
図４は、アーム体の他の形態に係る回転器具４２を示したものである。この回転器具４２についても、上記台座４及び回転体８等の基本形態及び材料などは上記回転器具２のものと同様であり、ここでの詳細な説明は省略する。
【００４６】
この回転器具４２に用いられるアーム体３８は、略半円状の架設部４０とこの両端から下方に垂下する支持部４１，４１からなる。また、台座４の脚体６の上部には外側に向けて膨出する取付部４４，４４が形成され、この取付部４４，４４には螺子穴が設けられている。一方、アーム体３８の支持部４１の下部には外側から内側に向けて挿通孔が形成されている。
【００４７】
上記アーム体３８は、一方の支持部４１から回動軸としてボルト４５等を挿通し、これを取付部４４の螺子穴にねじ込んで固定する。他方の支持部４１についても、同様にしてボルトで固定する。図４に示すように、このボルト４５を締結することでアーム体３８は回転体８の上方で固定され、またボルト４５を緩めることでアーム体３８は回動し、横向き（点線で図示した位置）に折り曲げて倒すことができる。
【００４８】
この回転器具４２についても、回転体８の上部に身をおいた人は、回転体８内に寝転び、或いは座った状態で手足でアーム体３８を操作し、筋力運動によりアーム体３８を押し或いは引くことで回転体８に回転力が加わり回転体８が回る。
【００４９】
また回転器具４２は、回転体８内の人が睡眠などのためベッドとして使用する時には、アーム体３８を固定する左右のボルト４５を緩めてアーム体３８を横向きに倒す。これにより、アーム体３８が回転体８内の人或いは介護者などの邪魔にならなくて済む。
【００５０】
図５（ａ）（ｂ）に示す回転器具４２は、上記アーム体３８に折り畳み可能なハンドル体４６を取り付けた形態である。
このハンドル体４６は、固定軸部４８及びこの固定軸部４８の下部に放射状（十字状）に取り付けられた操作杆５０からなる。各操作杆５０は、固定軸部４８に蝶番等の開閉部材を用いて取り付けられている。これにより、各操作杆５０は先端部が固定軸部４８に当たる折り畳んだ状態から、固定軸部４８に対して直角（９０度）の角度位置まで開閉可能である。
【００５１】
一方、固定軸部４８の上部には一方に向けて膨出する取付部５１が形成されており、またこの取付部５１には挿通孔が形成されている。一方、アーム体３８の架設部４０の中央部には横向きに螺子孔が形成されている。そして、上記固定軸部４８の挿通孔から回転軸としてボルト４９等を挿通し、これを架設部４０の螺子穴に締結して固定する。この固定軸部４８はボルト４９の締め付け加減により、アーム体３８から垂下する位置及びアーム体３８の架設部４０に沿った横向きの位置に折り畳んで固定することができる。
【００５２】
この回転器具４２の利用の際には、横向きに倒されたアーム体３８を起こし回転体８の上方の位置においてボルト４５を締付けてアーム体３８を固定する。また固定軸部４８を固定するボルト４９を緩め、折り畳んだ状態でアーム体３８に固定された固定軸部４８を垂下する向きに回してボルト４９を締結しこの位置で固定する。そして、折り畳まれた各操作杆５０を開いて固定軸部４８に対して９０度の位置まで開く。この状態でハンドル体４６は操作可能であり、回転体８の上部に身をおいた人は上方の操作杆５０を自在に回転操作することができ回転体８を回すことができる。
【００５３】
回転器具４２を自立運動としての利用が終了すれば、図５（ｂ）に示すように、ハンドル体４６の各操作杆５０を折り畳み、固定軸部４８を固定するボルト４９を緩めて固定軸部４８をアーム体３８に沿った向きに折り畳む。そして、アーム体３８を固定するボルト４５を緩め、アーム体３８をハンドル体４６とともに横に倒す。これにより、回転体８の上方が開放され、回転器具４２はベッド等として有効に利用できまた介護などにも支障をきたさない。なお、アーム体３８は片持の形態とすることも可能である。
【００５４】
上記回転器具２，４２は、回転構造を利用して人の自立運動を積極的に支援する器具であり、人の腕力、手の握力等の筋力活動を行わせることで筋力を補強する。このため、回転器具を利用する対象者については、子供、健常人、障害をもった人など何人であっても利用可能である。
【００５５】
特に、小児、小学校の下級生（身長１ｍ程度）など筋力が弱い者には有効であり、また遊び感覚で回転操作が行なえるため広く利用できる。また、身体が不自由な小児障害者（中程度）、長期的にベッド上の生活を余儀なくする小児患者にも利用可能である。また、手足の筋力が、適当な大きさの物体に対して押す、引く、掴むことが可能な者、微弱であっても自立的手足の筋力運動を行える者にも利用できる。寝た状態を余儀なくする者にとっても、ベッド状の回転揺りかごとして有効な筋力活動の環境を提供する。
このように、上記回転器具２，４２は、回転自己制御型ベッドとして有用に利用でき、保育、治療、生活（運動）環境の改善に貢献する。
【００５６】
なお、ここでは回転体８の形状（平面形状）を円形としているが、これは他に、正方形、長方形、或いは多角形の形状を採用することができる。
また、ここでは上記回転体８を平坦なベッド形状としているが、これは回転体８の上部に背もたれを設ける形態、或いは回転体８を椅子或いはソファー状に形成（枠体は外しても良い）した形態も可能である。この場合、人は座った状態で、上記ハンドル体などを操作する。
また、上記アーム体１２，１３，３８等は、上記台座４に固定され一体形成された形態であるが、これらは回転器具を設置する床面或いは近傍の壁面に基礎部材を配置或いは固定し、これに上記アーム体１２，１３，３８等を保持固定させる形態とすることもでき、また同様な効果が得られる。
【００５７】
図６は、第二の実施の形態に係る回転器具５２を示すものである。
この回転器具５２についても、上記台座４及び回転体８等の基本形態及び材料などは上記第一の実施の形態のものと同様であり、ここでは同一の符号を付して詳細な説明は省略する。
【００５８】
上記回転器具５２は、上記回転体８の周囲の外側に上記台座４と一体に手摺体５６を配置したものである。この回転器具５２は、台座４の脚体６に固定される３本の格子体５４、及び各格子体５４の上部を連結する円弧形状の手摺体５６、及び立体形状の把持部５８を有する。
【００５９】
上記格子体５４は、台座４を支持する３つの脚体６にそれぞれ一体的に固定され、各脚体６の上部から外側に向けて突出しさらに上方に向けて屈曲し立設された形態である。各格子体５４の上部には、格子体５４同士を連結する形態で手摺体５６が取り付けられている。ここでは、手摺体５６は回転体８の半周程度の範囲にわたって設けられている。また、手摺体５６には、各格子体５４間の中間位置にそれぞれ把持部５８が取り付けられている。
またこの回転器具５２の周囲にはテーブル５９を設置し、各テーブル５９の上に各種機能物５７（例えば愛用品の棚、飲み物、テレビ、本等）を並置している。
【００６０】
この回転器具５２は、回転体８の上部に身を置いた人が上記手摺体５６、把持部５８などを握って押し又は引っ張るなどの力を作用させることで、この反作用として回転体８を回転させる力が働き人とともに回転体８が回る。このため回転体８上の人は、自身の力により自己が希望する上記機能物が置かれている位置に回転体８とともに移動することができる。
【００６１】
このように、回転器具５２の回転体８上に身をおいた人（小児、体の不自由な人など）は、回転体８の外周外側に設けた手摺体５６を利用し、回転体８周辺に設置される各種機能物に人力制御によって位置を移すことができる。また回転器具５２の周囲に上記各種機能物を配置することにより、興味、楽しみを伴った筋力補強システムが構築できる。
【００６２】
上記回転器具５２の周囲に各種機能物を配置する形態は、他の実施形態にも採用することができる。
なお、上記手摺体５６は台座４と一体形成されているが、これは例えば、回転器具５２を設置する床面或いは近傍の壁面に基礎部材を配置或いは固定し、これに上記手摺体５６を保持固定させる形態を採用することも可能であり、また同様な効果が得られる。
【００６３】
図７は、第三の実施形態に係る回転器具６２を示したものである。
この回転器具６２についても、台座４及び回転体８等の基本形態及び材料などは上記第一の実施の形態と同様であり、同一の符号を付してここでの詳細な説明は省略する。
【００６４】
この回転器具６２は、上記アーム体１２を設けた回転器具に媒体としての紐体６４を用いた回転機構を設けたものである。この回転機構は、アーム体１２に加えて、棒状の２本の固定部６６，６６、糸、布又は皮などで作られた２本の紐体６４，６４、及び紐体の通過部としての滑車６８，６８、紐体６４，６４を通す環状体６９などを有している。
なお、紐体６４の通過部として上記滑車６８は、他に紐体６４が通過し得る環体、鉤状体などであってもよく、何れもアーム体１２に取り付けられて紐体６４を挿通或いは通過させ得るものであればよい。またアーム体１２に貫通孔を設け、これを通過部としてもよい。
【００６５】
上記固定部６６，６６は、回転体８の枠体１０の側部に所定の間隔を隔てて配置され、それぞれ螺子等の止着具或いは接着剤などを用いて立設固定される。また上記固定部６６，６６は、アーム体１２の一方側の支持部２６を挟む２箇所に配置され、両固定部６６，６６の中間に上記支持部２６が位置する。上記２本の固定部６６，６６は、ここでは回転体８の周囲の１／３程度の間隔を隔てて配置している。この間隔は、回転体８の周囲の１／２程度まで広げることができる。なお、上記固定部６６は、回転体８又は枠体１０に紐体６４の端部を固定し得る形態であればよく、回転体８又は枠体１０にフックを取り付けた形態等であってもよい。
【００６６】
上記滑車６８，６８は、上記アーム体１２の一方側の支持部２６の上部の左右部位にそれぞれ取り付けられる。この支持部２６の近傍の架設部２４には、この架設部２４の下部位置に上記環状体６９を取り付ける。この環状体６９は、上記２本の紐体６４，６４が挿通自在な形態で配置し、その一部を架設部２４に固定して取り付ける。
【００６７】
そして上記固定部６６の一方には、固定部６６の上部に設けた鉤部等に紐体６４の一端を縛りつけ、この紐体６４を滑車６８を経由させ架設部２４の下方を通過して環状体６９を潜らせて下方に垂らし、その下端部に球状の把持体６５を取り付ける。上記固定部６６の他方についても、同様にして他の紐体６４の一端を縛りつけ、滑車６８、環状体６９を経由して下方に垂らし、その下端部に把持体６５を取り付ける。
【００６８】
この形態の回転機構では、上記紐体６４を下に引く力が、アーム体１２に取り付けられた滑車６８を経由して回転体８に設けられた固定部６６に作用し、この固定部６６が滑車６８の方向に引かれて回転体８が回る。
上記回転体８の上部に身を置いた人は、上記２本の紐体６４，６４（把持体６５，６５）の一方を引っ張ることにより、回転体８の固定部６６が引かれこれと共に回転体８が一方に回り、また他方の紐体６４を引っ張ることにより、回転体８は反対向きに回る。
このため、回転体８上の人は、仰向けの状態などで両手でそれぞれ上記２本の紐体６４，６４を交互に引っ張り操作すると、回転体８は左右に所定角度の範囲で往復回転を繰り返す。
【００６９】
このように回転体８上の人は、上方に釣り下げられ人が手で掴み得る紐体６４（把持体６５）を引っ張ったり掴んで自立的に遊べ、また回転運動を行うことで楽しみながら軽微な筋力増強が行える。また、釣り下げられた紐体６４（把持体６５）は、例えば赤子、幼児などであってもこれを引っ張ったり掴んで自立的に遊べ、手の運動が行える。
【００７０】
また上記各紐体６４，６４は、自立運動を行なわないとき（回転体８をベッドとして利用する場合等）は、簡単に取り外すことができ、またアーム体１２についても脱着可能であるため取り外しておいてもよい。なお、このアーム体１２は、上記アーム体３８のように横向きに倒す形態を採用するようにしてもよく、また片持ちの形態とすることもできる。
【００７１】
図８は、上記各実施の形態に係る回転体８の上部に敷くことが可能なシーツ７０を示したものである。このシーツ７０は、円形の形状で、周囲には所定間隔で複数（ここでは８箇所）の取っ手７２が取り付けられている。この取っ手７２は、ここではテープ状の布をＵ字状にしたものを用いているが、他に合成樹脂材等を環状に形成したものを同様の位置に取り付けることとしてもよい。
【００７２】
このシーツ７０によれば、シーツ７０の上に横たわり、或いは睡眠をとる患者等に寝返りをさせたい場合、この患者の側部に位置する取っ手７２を握って引き寄せ、持ち上げることで、何れの方向に患者が向いていても好適な位置から寝返り等の介護をサポートできる。
【００７３】
介護者は、取っ手７２を握ってシーツ７０を手前に引き寄せることにより、回転体８上の患者の体を傾斜、好適な位置に回転させ、またシーツ７０の好適な取っ手を持つことで、ベストの位置及び状態で患者の寝返り、或いは着替えの処置が行える。また介護者は、上記回転器具の回転体８を適当な位置に回して好適な位置で介護することができるため、回転器具は患者にとってもまた介護者にとっても有効に利用できる。
なお、上記シーツ７０に取り付ける取っ手７２は、回転体８の周囲に折り込む状態で配置する形態、或いは枠体１０の上部から外側に少し垂らした状態に配置してもよい。
【００７４】
以上のように、上記第一、第二及び第三の実施形態によれば、回転体８上の人は手足による押し、引き、掴み、握りなどの自立的筋力活動により、回転体８の回転運動を自力にて生じさせ、また自己の位置、制御を認識して回転体８の位置を自己制御できる等その自在性を楽しむと同時に、手足の筋力維持、強化、或いは回転器具構造を利用した保育、治療、環境改善を行うことを目的とする運動システムが構築できる。
【００７５】
また、回転器具は回転体８の回転を生じさせるため、手足の自立的運動を行うことで、楽しみながら軽微な筋力増強効果も得られ、赤子、障害児童、健康人でも使用可能であり、また寝ている状態を余儀なくする人（患者）にとっても有効な運動環境を提供する。また、回転器具は、回転自己制御型のベッドとして有用に利用でき、回転揺りかご（ベッド状の）的な利用もある。
また、寝たままの状態あるいは体の不自由な人、これらに準ずる状態の人にもスペースと活動対象の拡大した環境を提供する。そして、この自己回転機能を、寝たままで制御を繰り返すことができ自己筋力改善に利用できる。
【００７６】
上記回転器具の利用対象者は、主に小学校の下級生（身長１ｍ程度）、中程度の小児障害者、また小児患者として、日常、また長期的にベッド上の活動を余儀なくする者、手足の筋力により適当な大きさの物体に対して押す、引く、掴むことが可能な者、自己の位置、移動に混乱を生じない確認能力を持つ者、微弱ではあっても自立的手足の筋力運動を行える者等があり、子供、健常人、障害をもった人など多くの人に適用できる。
【００７７】
上記各実施の形態に係る回転器具の利用形態としては、以下の形態などがある。
（Ａ）回転ベッド（または回転椅子）として利用し、ハンディキャップを負った小児を対象とした自立回転運動に用いる。この場合は、回転体８は円形が好ましい。
（Ｂ）回転ベッドとして利用し、介護者にも有効利用し得るよう介護者の作業位置を調整し、介護のやり易い位置に回転体８（ベッド）を回して作業を行う。このように介護などの作業の内容とも連携させ、シーツを引っ張って患者の寝返り等の処置を行う。この場合、回転体８は円形、又は長方形が好ましい。
（Ｃ）回転ベッドとして利用し、自立回転運動を行わせる。これには小児、児童などの健常人を対象とし、周辺に各種機能物（本棚、テレビなど）を配置するなどして各種利用を行う。この場合は、回転体８は円形が好ましい。
【００７８】
なお、上記回転体８を回転させる機構として、上記実施の形態では手動にて、押す、引く、掴み引っ張ることができる機能を備えたアーム体、ハンドル体、手摺体、紐体（把持体）などを用いたものを提案したが、これ以外の機構であっても人の手足で駆動でき回転体８を回すことができる機構であれば有効であり採用可能である。
【符号の説明】
【００７９】
４  台座
８  回転体
１０  枠体
１２，１３，３８，５６  固定体（アーム体、手摺体）
２８，４６  ハンドル体
３４，５０  操作杆
６４  媒体（紐体）
６６  固定部
６８  通過部（滑車）
７０  シーツ
７２  取っ手
【図１】
0005495776.tif 000002
【図２】
0005495776.tif 000003
【図３】
0005495776.tif 000004
【図４】
0005495776.tif 000005
【図５】
0005495776.tif 000006
【図６】
0005495776.tif 000007
【図７】
0005495776.tif 000008
【図８】
0005495776.tif 000009
【図９】
0005495776.tif 000010